(57)【特許請求の範囲】
【請求項１】
表示ディスプレイと、
前記表示ディスプレイに表示されるメニューに対する操作をユーザーから受け付ける物理キーと、
前記表示ディスプレイの前面に配置され、接触点の座標位置を検出する第１の動作モードと、接触点の座標位置を検出せず、接触の有無を検出する第２の動作モードと、前記接触点の座標位置、及び接触の有無を検出せず、前記物理キーからの入力を受け付ける第３の動作モードとを切り替え可能なタッチパネルと、
接触点の座標位置を取得する必要がある操作をユーザーから受け付ける際に表示される第１のグループに属する画像と、接触点の座標位置を取得する必要がなく接触の有無を検出する必要がある操作をユーザーから受け付ける際に表示される第２のグループに属する画像とを、前記表示ディスプレイに表示させる表示制御部と、
前記表示制御部が、前記第１のグループに属する画像を表示させている間は、前記タッチパネルの動作モードを前記第１の動作モードに決定し、前記第２のグループに属する画像を表示させている間は、前記タッチパネルの動作モードを前記第２の動作モードに決定し、前記表示制御部が、前記第１のグループ及び前記第２のグループのいずれにも属さない第３のグループに属する画像を表示させている間は、前記タッチパネルの動作モードを前記第３の動作モードに決定する動作モード決定部と、
前記タッチパネルを、前記動作モード決定部で決定された動作モードで動作させる動作制御部と、を備えるタッチパネル装置。
【請求項２】
前記第３のグループに属する画像は、パスワードを入力する画面である請求項１に記載のタッチパネル装置。
【請求項３】
前記タッチパネルは、互いに対向配置された第１抵抗膜および第２抵抗膜と、当該第１抵抗膜および第２抵抗膜の両端部に形成された電極とを有し、
前記動作制御部は、前記動作モード決定部で決定された動作モードが前記第１の動作モードである場合、前記第１抵抗膜または前記第２抵抗膜の一端部に形成された電極と他端部に形成された電極との間に予め定められた電位差を形成させ、前記動作モード決定部で決定された動作モードが前記第２の動作モードである場合、前記第１抵抗膜または前記第２抵抗膜の一端部に形成された電極と他端部に形成された電極とを同電位にする、請求項１に記載のタッチパネル装置。
【請求項４】
タッチパネル装置と、
前記タッチパネル装置が検出した接触点の有無および／または接触点の座標位置に基づいて、画像形成に関する指示を受け付ける制御部と、
前記制御部が受け付けた指示に基づいて、記録紙に画像を形成する画像形成部と、を備え、
前記タッチパネル装置は、
表示ディスプレイと、
前記表示ディスプレイに表示されるメニューに対する操作をユーザーから受け付ける物理キーと、
前記表示ディスプレイの前面に配置され、接触点の座標位置を検出する第１の動作モードと、接触点の座標位置を検出せず、接触の有無を検出する第２の動作モードと、前記接触点の座標位置、及び接触の有無を検出せず、前記物理キーからの入力を受け付ける第３の動作モードとを切り替え可能なタッチパネルと、
接触点の座標位置を取得する必要がある操作をユーザーから受け付ける際に表示される第１のグループに属する画像と、接触点の座標位置を取得する必要がなく接触の有無を検出する必要がある操作をユーザーから受け付ける際に表示される第２のグループに属する画像とを、前記表示ディスプレイに表示させる表示制御部と、
前記表示制御部が、前記第１のグループに属する画像を表示させている間は、前記タッチパネルの動作モードを前記第１の動作モードに決定し、前記第２のグループに属する画像を表示させている間は、前記タッチパネルの動作モードを前記第２の動作モードに決定し、前記表示制御部が、前記第１のグループ及び前記第２のグループのいずれにも属さない第３のグループに属する画像を表示させている間は、前記タッチパネルの動作モードを前記第３の動作モードに決定する動作モード決定部と、
前記タッチパネルを、前記動作モード決定部で決定された動作モードで動作させる動作制御部と、を備える画像形成装置。
【発明の詳細な説明】
【技術分野】
【０００１】
本発明は、タッチパネルを有するタッチパネル装置及び画像形成装置の消費電力を低減する技術に関する。
【背景技術】
【０００２】
タッチパネル装置の消費電力を低減する技術として、特許文献１に開示される技術が知られている。特許文献１に開示されるタッチパネル装置は、第１の抵抗膜と当該第１の抵抗膜に対向して配置された第２抵抗膜とを有するタッチパネルと、当該タッチパネルの動作を制御する制御部とを備える。タッチパネルは、待機状態と動作状態とを有する。制御部は、待機状態において、タッチパネルにおける接触点の座標位置を検出するための電流を抵抗膜に流さない。タッチパネルに対して接触が検出された場合、制御部は、タッチパネルの状態を動作状態に切り替え、タッチパネルにおける接触点の座標位置を検出するための電流を抵抗膜に流す。このように、待機状態において接触点の座標位置を検出するための電流を抵抗膜に流さないため、タッチパネルの消費電力を低減することができる。
【先行技術文献】
【特許文献】
【０００３】
【特許文献１】特開平１０−３９９８７号公報
【発明の概要】
【発明が解決しようとする課題】
【０００４】
タッチパネル装置は、接触点の座標位置を取得するタッチパネル操作を受け付けるだけでなく、単に接触の有無を取得する操作や、物理キーの操作のみを受け付ける場合がある。
【０００５】
しかしながら、上記の特許文献１に開示されるタッチパネル装置では、一旦動作状態に切り替わると、上記の物理キーの操作のみを受け付ける場合のように接触点の座標位置を取得する必要のない場合であっても、接触点の座標位置を検出するための電流を抵抗膜に流してしまう。
【０００６】
本発明は、上記事情に鑑みなされたものであり、消費電力がより低減されたタッチパネル装置、及びこれを備えた画像形成装置を提供することを目的とする。
【課題を解決するための手段】
【０００７】
本発明の一局面にかかるタッチパネル装置は、表示ディスプレイと、前記表示ディスプレイに表示されるメニューに対する操作をユーザーから受け付ける物理キーと、前記表示ディスプレイの前面に配置され、接触点の座標位置を検出する第１の動作モードと、接触点の座標位置を検出せず、接触の有無を検出する第２の動作モードと、前記接触点の座標位置、及び接触の有無を検出せず、前記物理キーからの入力を受け付ける第３の動作モードとを切り替え可能なタッチパネルと、接触点の座標位置を取得する必要がある操作をユーザーから受け付ける際に表示される第１のグループに属する画像と、接触点の座標位置を取得する必要がなく接触の有無を検出する必要がある操作をユーザーから受け付ける際に表示される第２のグループに属する画像とを、前記表示ディスプレイに表示させる表示制御部と、前記表示制御部が、前記第１のグループに属する画像を表示させている間は、前記タッチパネルの動作モードを前記第１の動作モードに決定し、前記第２のグループに属する画像を表示させている間は、前記タッチパネルの動作モードを前記第２の動作モードに決定し、前記表示制御部が、前記第１のグループ及び前記第２のグループのいずれにも属さない第３のグループに属する画像を表示させている間は、前記タッチパネルの動作モードを前記第３の動作モードに決定する動作モード決定部と、前記タッチパネルを、前記動作モード決定部で決定された動作モードで動作させる動作制御部と、を備える。
【０００８】
また、本発明の他の一局面にかかる画像形成装置は、上記のタッチパネル装置と、制御部と、画像形成部とを備える。前記制御部は、タッチパネル装置が検出した接触点の有無および／または接触点の座標位置に基づいて、画像形成に関する指示を受け付ける。前記画像形成部は、前記制御部が受け付けた指示に基づいて、記録紙に画像を形成する。
【発明の効果】
【０００９】
本発明によれば、消費電力がより低減されたタッチパネル装置、及びこれを備えた画像形成装置を提供することができる。
【図面の簡単な説明】
【００１０】
【図１】本発明の一実施形態にかかる画像形成装置の外観を示す斜視図である。
【図２】本発明の一実施形態にかかる画像形成装置の主要内部構成を概略的に示す機能ブロック図である。
【図３】本発明の一実施形態にかかるタッチパネル装置の主要内部構成を概略的に示す機能ブロック図である。
【図４】（Ａ）は、接触点のＸ座標位置を検出する動作モードにおけるパネル部の構成を示す図であり、（Ｂ）は、接触点のＹ座標位置を検出する動作モードにおけるパネル部の構成を示す図である。
【図５】第２の動作モードにおけるパネル部の構成を示す図である。
【図６】（Ａ）、（Ｂ）、及び（Ｃ）は、タッチパネル装置の表示ディスプレイ５０に表示される画面の一例を示す図である。
【図７】本発明の一実施形態にかかるタッチパネル装置における動作モードの切り替え処理の流れを示すフローチャートである。
【図８】変形例１にかかるタッチパネル装置における動作モードの切り替え処理の流れを示すフローチャートである。
【図９】変形例２にかかるタッチパネル装置における動作モードの切り替え処理の流れを示すフローチャートである。
【発明を実施するための形態】
【００１１】
以下、本発明の一実施形態にかかるタッチパネル装置、及び、画像形成装置について図面を参照して説明する。図１は、本発明の一実施形態にかかる画像形成装置の外観を示す斜視図である。
【００１２】
本発明の一実施形態にかかる画像形成装置１は、例えば、コピー機能、プリンター機能、スキャナー機能、及びファクシミリ機能のような複数の機能を兼ね備えた複合機である。図１に示すように、画像形成装置１は、タッチパネル装置１０を備えている。タッチパネル装置１０は、表示ディスプレイ５０、当該表示ディスプレイ５０の前面に配置されるタッチパネル３０、及び物理キー４０等を有しており、画像形成装置１が実行可能な各種動作及び処理について、使用者から画像形成動作実行指示及び原稿読取動作実行指示等の指示を受け付ける。
【００１３】
図２は、画像形成装置１の主要内部構成を概略的に示す機能ブロック図である。図２に示すように、画像形成装置１は、原稿読取部２、原稿給送部３、画像形成部４、制御ユニット５、画像メモリー６、ＨＤＤ（ハードディスクドライブ）７、及びタッチパネル装置１０等を備えている。
【００１４】
制御ユニット５は、ＣＰＵ(Central Processing Unit)、ＲＡＭ、ＲＯＭ及び専用のハードウェア回路等から構成され、画像形成装置１の全体的な動作制御を司る。制御ユニット５は、原稿読取部２、原稿給送部３、画像形成部４、制御ユニット５、画像メモリー６、ＨＤＤ７、及びタッチパネル装置１０等と接続され、これら各部の駆動制御を行う。特に制御ユニット５は、ユーザー操作に基づいてタッチパネル装置１０が検出する接触点の有無および／または接触点の座標位置に基づいて、画像形成に関する指示等を受け付ける。そして、制御ユニット５は、その設定に基づき、上記各部の駆動制御を行う。
【００１５】
原稿読取部２は、光照射部及びＣＣＤセンサー等を備え、制御ユニット５による制御の下、光照射部により原稿を照射し、その反射光をＣＣＤセンサーで受光することにより、原稿から画像データを読み取る。
【００１６】
原稿給送部３は、原稿載置部（不図示）上の原稿を原稿読取部２が読取可能な位置に送り出す。
【００１７】
画像形成部４は、制御ユニット５が受け付けた画像形成に関する指示に基づいて、記録紙に画像を形成する。
【００１８】
画像メモリー６は、原稿読取部２による読み取りで得られた原稿の画像データを一時的に記憶したり、画像形成部４のプリント対象となるデータを一時的に保存する領域である。
【００１９】
ＨＤＤ７は、原稿読取部２による読み取りで得られた原稿の画像データ等を記憶する大容量の記憶装置である。
【００２０】
次に、タッチパネル装置１０の構成を説明する。図３は、タッチパネル装置１０の主要内部構成を概略的に示す機能ブロック図である。図３に示すように、タッチパネル装置１０は、制御部２０、タッチパネル３０、物理キー４０、及び表示ディスプレイ５０等を備えている。
【００２１】
制御部２０は、ＣＰＵ、ＲＡＭ、ＲＯＭ及び専用のハードウェア回路等から構成される。制御部２０は、タッチパネル３０、物理キー４０、及び表示ディスプレイ５０等と接続され、これら各部の駆動制御を行う。
【００２２】
制御部２０は、表示制御部２１と、動作モード決定部２２と、動作制御部２３とを備える。表示制御部２１は、タッチパネル装置１０内の記憶装置等に記憶された画像を表示ディスプレイ５０に表示させる機能を有する。動作モード決定部２２は、表示制御部２１が表示ディスプレイ５０に表示させている画像に基づき、後述するタッチパネル３０の動作モードを決定する機能を有する。動作制御部２３は、タッチパネル３０を、動作モード決定部２２で決定された動作モードで動作させる機能を有する。
【００２３】
上記の表示制御部２１、動作モード決定部２２、及び動作制御部２３の各構成の詳細については後述する。
【００２４】
物理キー４０は、例えば、メニューを呼び出すメニューキー、メニューを構成するＧＵＩのフォーカスを移動させる矢印キー、メニューを構成するＧＵＩに対して確定操作を行う決定キー、数値キー等であり、表示ディスプレイ５０に表示されるメニューに対する操作をユーザーから受け付ける。
【００２５】
表示ディスプレイ５０は、液晶ディスプレイ（ＬＣＤ：Liquid Crystal Display）や有機ＥＬ（ＯＬＥＤ：Organic Light-Emitting Diode）ディスプレイで構成されている。表示ディスプレイ５０は、制御部２０の表示制御部２１による制御に基づき、画像形成等に関する設定メニューを表示する。
【００２６】
タッチパネル３０は、表示ディスプレイ５０の前面に配置され、タッチパネル３０に対する接触点の座標位置や、接触の有無を検出する。タッチパネル３０は、パネル部３１、回路部３２、Ａ／Ｄ変換部３３等を備えている。
【００２７】
図４（Ａ）及び図４（Ｂ）に示すように、パネル部３１は、透明かつ導電性を有する金属等からなる第１の抵抗膜３１１と、第２の抵抗膜３１２とを有する。第１の抵抗膜３１１は、不図示のスペーサーを介して、第２の抵抗膜３１２に対向して配置されている。第１の抵抗膜３１１の両端部には、電極Ｘ１、Ｘ２が形成されている。また第２の抵抗膜３１２の両端部には、電極Ｙ１、Ｙ２が形成されている。上記の各電極は、回路部３２と接続されている。動作制御部２３は、回路部３２のトランジスタ等を制御することで、動作モード決定部２２が決定した動作モードに応じた電圧を上記の各電極に印加させる。
【００２８】
タッチパネル３０は、タッチパネル３０に対する接触点の座標位置を検出する第１の動作モードと、タッチパネル３０に対する接触点の座標位置を検出せず、接触の有無を検出する第２の動作モードとを有する。また、第１の動作モードは、接触点のＸ座標位置を検出する動作モードと接触点のＹ座標位置を検出する動作モードとを有する。
【００２９】
まず、接触点のＸ座標位置を検出する動作機構について説明する。図４（Ａ）は、接触点のＸ座標位置を検出する動作モードにおけるパネル部３１の構成を示す。図４（Ａ）に示すように、接触点のＸ座標位置を検出する動作モードにおいて、動作制御部２３は、回路部３２を制御して、第１抵抗膜３１１の電極Ｘ２の電位をＶＣＣとし、電極Ｘ１の電位をＧＮＤレベルにする。これにより、第１抵抗膜３１１には、電位の傾斜が発生する。ユーザーの指等がタッチパネル３０に接触されると、第１の抵抗膜３１１と第２の抵抗膜３１２とが接触する。この時、第２抵抗膜３１２の電極Ｙ１の電位Ｅ１は、接触点ＡのＸ座標の位置の応じた電位ＶＸとなる。Ａ／Ｄ変換部３３は、この電位ＶＸをアナログ／デジタル変換して出力する。動作制御部２３は、Ａ／Ｄ変換部３３から出力された信号に基づき、接触点ＡのＸ座標を検出する。
【００３０】
次に、接触点のＹ座標位置を検出する動作機構について説明する。図４（Ｂ）は、接触点のＹ座標位置を検出する動作モードにおけるパネル部３１の構成を示す。図４（Ｂ）に示すように、接触点のＹ座標位置を検出する動作モードにおいて、動作制御部２３は、回路部３２を制御して、第２抵抗膜３１２の電極Ｙ２の電位をＶＣＣとし、電極Ｙ１の電位をＧＮＤレベルにする。これにより、第２抵抗膜３１２には、電位の傾斜が発生する。ユーザーの指等がタッチパネル３０に接触されると、第１の抵抗膜３１１と第２の抵抗膜３１２とが接触する。この時、第１抵抗膜３１１の電極Ｘ１の電位Ｅ２は、接触点ＡのＹ座標の位置の応じた電位ＶＹとなる。Ａ／Ｄ変換部３３は、この電位ＶＹをアナログ／デジタル変換して出力する。動作制御部２３は、Ａ／Ｄ変換部３３から出力された信号に基づき、接触点ＡのＹ座標を検出する。
【００３１】
第１の動作モードにおいては、動作制御部２３が回路部３２を制御して、上記の接触点のＸ座標位置を検出する動作モードとＹ座標位置を検出する動作モードとを繰り返し行うことで、接触点のＸ座標及びＹ座標を検出する。このように、動作制御部２３は、動作モード決定部２２が決定した動作モードが第１の動作モードである場合に、第１の抵抗膜３１１または第２の抵抗膜３２２の一端部に形成された電極と他端部に形成された電極との間に予め定められた電位差を形成させている。
【００３２】
次に、第２の動作モードについて説明する。図５は、第２の動作モードにおけるパネル部３１の構成を示す図である。図５に示すように、第２の動作モードにおいて、動作制御部２３は、回路部３２を制御して、第１抵抗膜３１１の電極Ｘ１、Ｘ２の電位を同電位のＶＣＣにする。ユーザーの指等がタッチパネル３０に接触されると、第１の抵抗膜３１１と第２の抵抗膜３１２とが接触する。この時、第２抵抗膜３１２の電極Ｙ１の電位Ｅ３は、電位ＶＣＣとなる。動作制御部２３は、この電位Ｅ３の変化を検出することで、タッチパネル３０に対する接触の有無を検出する。第１の抵抗膜３１１には、ほとんど電流が流れず、また、第１の動作モードのように、接触点のＸ座標位置を検出する動作モードとＹ座標位置を検出する動作モードとを切り替える必要がないため、第２モードにおけるタッチパネル３０の消費電力は、第１の動作モードにおける消費電力と比較して少ない。このように、動作制御部２３は、動作モード決定部２２が決定した動作モードが第２の動作モードである場合に、第１の抵抗膜３１１または第２の抵抗膜３２２の一端部に形成された電極と他端部に形成された電極とを同電位にしている。
【００３３】
次に、タッチパネル３０の動作モードを決定する処理について説明する。
【００３４】
動作モード決定部２２は、表示制御部２１が表示ディスプレイ５０に表示させている画像に基づき、タッチパネル３０の動作モードを決定する。タッチパネル装置１０内の記憶装置等には、予め第１のグループに属する画像と、第２のグループに属する画像が記憶されており、表示制御部２１が第１のグループに属する画像を表示ディスプレイ５０に表示させている間は、動作モード決定部２２は、タッチパネル３０の動作モードを第１の動作モードに決定する。また、表示制御部２１が第２のグループに属する画像を表示ディスプレイ５０に表示させている間は、動作モード決定部２２は、タッチパネル３０の動作モードを第２の動作モードに決定する。ここで第１のグループに属する画像とは、接触点の座標位置を取得する必要がある操作をユーザーから受け付ける際に表示ディスプレイ５０に表示される画像である。また、第２のグループに属する画像とは、接触点の座標位置を取得する必要がなく、接触の有無を検出する必要がある操作をユーザーから受け付ける際に表示ディスプレイ５０に表示される画像である。
【００３５】
図６（Ａ）、図６（Ｂ）、及び図６（Ｃ）は、タッチパネル装置１０の表示ディスプレイ５０に表示される画面の一例を示す図である。
【００３６】
図６（Ａ）に示す表示画像Ｄ１は、第２のグループに属する画像として、タッチパネル装置１０内の記憶装置等に記憶されている。この表示画像Ｄ１は、タッチパネル３０への接触を受け付ける際に表示されるものである。この表示画像Ｄ１が表示されている間、制御部２０が接触点の座標位置を取得する必要がないため、動作モード決定部２２は、タッチパネル３０の動作モードを第２の動作モードに決定する。そして、動作制御部２３は、回路部３２を制御して、タッチパネル３０を第２の動作モードで動作させる。
【００３７】
図６（Ｂ）に示す表示画像Ｄ２は、第２のグループに属する画像として、タッチパネル装置１０内の記憶装置等に記憶されている。この表示画像Ｄ２は、物理キー４０からの入力を受け付ける際に表示されるものである。この表示画像Ｄ２が表示されている間、制御部２０が接触点の座標位置を取得する必要がないため、動作モード決定部２２は、タッチパネル３０の動作モードを第２の動作モードに決定する。そして、動作制御部２３は、回路部３２を制御して、タッチパネル３０を第２の動作モードで動作させる。
【００３８】
図６（Ｃ）に示す表示画像Ｄ３は、第１のグループに属する画像として、タッチパネル装置１０内の記憶装置等に記憶されている。この表示画像Ｄ３は、ユーザーからのボタンｄ３１〜ｄ３６の選択操作を受け付ける際に表示されるものである。この表示画像Ｄ３が表示されている間、制御部２０が接触点の座標位置を取得する必要があるため、動作モード決定部２２は、タッチパネル３０の動作モードを第１の動作モードに決定する。そして、動作制御部２３は、回路部３２を制御して、タッチパネル３０を第１の動作モードで動作させる。
【００３９】
次に、上記の構成を有するタッチパネル装置１０の動作について説明する。図７は、タッチパネル装置１０における動作モードの切り替え処理の流れを示すフローチャートである。
【００４０】
図７に示すように、タッチパネル装置１０の表示制御部２１は、表示ディスプレイ５０に画像を表示すべき旨の指示を受けたか否かを判定する（ステップＳ１０）。
【００４１】
画像を表示すべき旨の指示を受けている場合（ステップＳ１０において、ＹＥＳ）、表示制御部２１は、表示ディスプレイ５０に、タッチパネル装置１０内の記憶装置等に記憶されている画像を表示させる（ステップＳ１１）。
【００４２】
動作モード決定部２２は、表示制御部２１が表示ディスプレイ５０に表示させた画像が、第１のグループに属する画像であるか否かを判定する（ステップＳ１２）。
【００４３】
制御部２１が表示させた画像が第１のグループに属する画像である場合（ステップＳ１２において、ＹＥＳ）、動作モード決定部２２は、タッチパネル３０の動作モードを第１の動作モードとする（ステップＳ１３）。
【００４４】
その後、動作制御部２３は、回路部３２を制御して、タッチパネル３０の動作モードを第１の動作モードとする（ステップＳ１４）。
【００４５】
制御部２１が表示させた画像が第１のグループに属する画像でない場合（ステップＳ１２においてＮＯ）、動作モード決定部２２は、タッチパネル３０の動作モードを第２の動作モードとする（ステップＳ１５）。
【００４６】
その後、動作制御部２３は、回路部３２を制御して、タッチパネル３０の動作モードを第２の動作モードとする（ステップＳ１６）。
【００４７】
ステップＳ１４、Ｓ１６の処理後、表示制御部２１は、タッチパネル制御プログラムから表示ディスプレイ５０に表示する画像の切り替え命令を受けたか否かを判定する（ステップＳ１７）。
【００４８】
画像の切り替え命令を受けている場合（ステップＳ１７においてＹＥＳ）、ステップＳ１１の処理に戻り、表示ディスプレイ５０に画像を表示させた後、タッチパネル３０の動作モードの切り替えを行う。
【００４９】
以上説明したように、本実施の形態にかかるタッチパネル装置１０では、タッチパネル３０は、接触点の座標位置を検出する第１の動作モードと、接触点の座標位置を検出せず、接触の有無を検出する第２の動作モードとを切り替え可能である。そして、動作モード決定部２２は、表示制御部２１が、接触点の座標位置を取得する必要がある操作をユーザーから受け付ける際に表示される第１のグループに属する画像を表示させている間は、タッチパネル３０の動作モードを第１の動作モードに決定し、接触点の座標位置を取得する必要がなく接触の有無を検出する必要がある操作をユーザーから受け付ける際に表示される第２のグループに属する画像を表示させている間は、タッチパネル３０の動作モードを第２の動作モードに決定する。そして、動作制御部２３は、タッチパネル３０を、動作モード決定部２２で決定された動作モードで動作させる。接触点の座標位置を取得する必要のない第２のグループに属する画像が表示された場合には、タッチパネルの動作モードを、接触点の座標位置を検出するための電流を流さない第２の動作モードとするため、タッチパネル装置１０の消費電力をより低減することができる。
【００５０】
なお、本発明は上記の実施の形態の構成に限られず種々の変形が可能である。
【００５１】
図８は、変形例１にかかる動作モードの切り替え処理の流れを示すフローチャートである。なお、図７のフローチャートに示す処理と同内容の処理については説明を省略する。
【００５２】
変形例１では、表示制御部２１が表示させた画像が第１のグループに属する画像でない場合（ステップＳ２２においてＮＯ）、動作モード決定部２２は、さらに、表示制御部２１が表示させた画像が、第２のグループに属する画像であるか否かを判定する（ステップＳ２５）。
【００５３】
表示制御部２１が表示させた画像が第２のグループに属する画像である場合（ステップＳ２５においてＹＥＳ）、動作モード決定部２２は、タッチパネル３０の動作モードを第２の動作モードとする（ステップＳ２６）。
【００５４】
その後、動作制御部２３は、回路部３２を制御して、タッチパネル３０の動作モードを第２の動作モードとする（ステップＳ２７）。
【００５５】
表示制御部２１が表示させた画像が第２のグループに属する画像でない場合（ステップＳ２５においてＮＯ）、動作モード決定部２２は、タッチパネル３０の動作モードを第３の動作モードとする（ステップＳ２８）。ここで、第３の動作モードとは、タッチパネル３０に対する接触点の座標位置、及び、接触の有無をともに検出しない動作モードをいう。接触の有無を検出するための電流もタッチパネル３０に流さないため、第３モードにおけるタッチパネル３０の消費電力は、第１の動作モード、第２の動作モードにおける消費電力と比較して少ない。
【００５６】
例えば、変形例１において、図６（Ｂ）に示す表示画像Ｄ２は、第３のグループに属する画像として、タッチパネル装置１０内の記憶装置等に記憶されている。この表示画像Ｄ２は、物理キー４０からの入力を受け付ける際に表示されるものである。この表示画像Ｄ２が表示されている間、制御部２０が接触点の座標位置及び接触の有無を取得する必要がないため、動作モード決定部２２は、タッチパネル３０の動作モードを第３の動作モードに決定する。
【００５７】
その後、動作制御部２３は、回路部３２を制御して、タッチパネル３０の動作モードを第３の動作モードとする（ステップＳ２９）。
【００５８】
図９は、変形例２にかかる動作モードの切り替え処理の流れを示すフローチャートである。なお、図７のフローチャートに示す処理と同内容の処理については説明を省略する。
【００５９】
変形例２では、動作モード決定部２２は、表示制御部２１が表示ディスプレイ５０に表示させた画像が、第４のグループに属する画像であるか否かを判定する（ステップＳ４２）。
【００６０】
ここで、第４のグループに属する画像とは、タッチ操作（接触点の座標位置または接触の有無を検出する必要がある操作）をユーザーから受け付ける際に表示ディスプレイ５０に表示される画像である。例えば、図６（Ａ）に示す表示画像Ｄ１及び図６（Ｃ）に示す表示画像Ｄ３は、第４のグループに属する画像として、タッチパネル装置１０内の記憶装置等に記憶されている。
【００６１】
制御部２１が表示させた画像が第４のグループに属する画像である場合（ステップＳ４２において、ＹＥＳ）、動作モード決定部２２は、タッチパネル３０の動作モードを第１の動作モードとする（ステップＳ４３）。
【００６２】
ステップＳ４３の処理後、動作制御部２３は、回路部３２を制御して、タッチパネル３０の動作モードを第１の動作モードとする（ステップＳ４４）。
【００６３】
一方、表示制御部２１が表示させた画像が第４のグループに属する画像でない場合（ステップＳ４２においてＮＯ）、動作モード決定部２２は、タッチパネル３０の動作モードを第３の動作モードとする（ステップＳ４５）。
【００６４】
例えば、変形例２において、図６（Ｂ）に示す表示画像Ｄ２は、第５のグループに属する画像としてタッチパネル装置１０内の記憶装置等に記憶されている。ここで第５のグループに属する画像とは、タッチ操作をユーザーから受け付ける必要がない場合に表示ディスプレイ５０に表示される画像である。
【００６５】
ステップＳ４５の処理後、動作制御部２３は、回路部３２を制御して、タッチパネル３０の動作モードを第３の動作モードとする（ステップＳ４６）。
【００６６】
以上のように、変形例２にかかるタッチパネル装置１０では、タッチパネル３０が、接触点の座標位置を検出する第１の動作モードと、接触点の座標位置及び接触の有無を検出しない第３の動作モードとを切り替え可能である。そして、動作モード決定部２２は、表示制御部２１が、接触点の座標位置または接触の有無を検出する必要があるタッチ操作をユーザーから受け付ける際に表示される第４のグループに属する画像を表示させている間は、タッチパネル３０の動作モードを第１の動作モードに決定し、第４のグループに属さない第５のグループに属する画像を表示させている間は、タッチパネル３０の動作モードを第３の動作モードに決定している。変形例２にかかるタッチパネル装置１０では、タッチ操作をユーザーから受け付ける必要がない場合に、接触点の座標位置及び接触の有無を検出するための電流をタッチパネル３０に流さないため、タッチパネル装置１０の消費電力を低減することができる。
【００６７】
また、上記の図７、図８、及び図９に示した制御部２０による処理手順を記述したプログラムをメモリーに記憶しておき、ＣＰＵなどがメモリーからプログラムを読み出して、読み出したプログラムを実行することによって、上記の手法が実現されるようにしてもよい。さらには、当該手法の手順を記述したプログラムを記録媒体に格納して、頒布するようにしてもよい。
【図１】
0006051312.tif 000002
【図２】
0006051312.tif 000003
【図３】
0006051312.tif 000004
【図４】
0006051312.tif 000005
【図５】
0006051312.tif 000006
【図６】
0006051312.tif 000007
【図７】
0006051312.tif 000008
【図８】
0006051312.tif 000009
【図９】
0006051312.tif 000010